(57)【要約】  【課題】  基端側に対して先端側が窄まる傾斜周面を備えたテーパ状の羽根ボスを主軸に取り付けることができる羽根車の主軸取付構造を提供する。  【解決手段】  羽根ボス２の周面に翼体４が設けられた羽根車の主軸取付構造であって、基端側２Ａに対して先端側２Ｂが窄まる傾斜周面を備えた羽根ボス２の基端側開口に形成された内向きフランジ２Ｅと、主軸の先端側周部に形成された溝部１Ａに嵌入される抜止め部材３と、前記主軸１に外嵌し、一端側に前記内向きフランジ２Ｅに対向するとともに前記抜止め部材３と係合する外向きフランジ５Ａを備えたスリーブ５とを備え、前記溝部１Ａに前記抜止め部材３を嵌入した状態で前記基端側開口から前記主軸１を挿入し、前記内向きフランジ２Ｅと前記外向きフランジ５Ａを締着する。  【選択図】  図２
2007263021.tif 000002
【特許請求の範囲】
【請求項１】
羽根ボスの周面に翼体が設けられた羽根車の主軸取付構造であって、
基端側に対して先端側が窄まる傾斜周面を備えた羽根ボスの基端側開口に形成された取付座と、主軸の先端側に着脱自在に取り付けられる抜止め部材と、前記主軸に外嵌し、一端側に前記取付座に対向するとともに前記抜止め部材と係合する外向きフランジを備えたスリーブとを備え、前記主軸の先端側に前記抜止め部材を取り付けた状態で前記基端側開口から前記主軸を挿入し、前記取付座と前記外向きフランジを締着する羽根車の主軸取付構造。
【請求項２】
羽根ボスの周面に翼体が設けられた羽根車の主軸取付構造であって、
前記取付座が基端側に対して先端側が窄まる傾斜周面を備えた羽根ボスの基端側開口に形成された内向きフランジであり、主軸の先端側周部に形成された溝部に嵌入される抜止め部材と、前記主軸に外嵌し、一端側に前記内向きフランジに対向するとともに前記抜止め部材と係合する外向きフランジを備えたスリーブとを備え、前記溝部に前記抜止め部材を嵌入した状態で前記基端側開口から前記主軸を挿入し、前記内向きフランジと前記外向きフランジを締着する請求項１に記載の羽根車の主軸取付構造。
【請求項３】
前記抜止め部材が前記内向きフランジの内側縁部で保持される請求項２記載の羽根車の主軸取付構造。
【請求項４】
前記主軸に、前記スリーブの他端側縁部と係合する段差部を形成してある請求項１から３の何れかに記載の羽根車の主軸取付構造。
【請求項５】
前記主軸とスリーブがキー結合又はスプライン結合されている請求項１から４の何れかに記載の羽根車の主軸取付構造。
【発明の詳細な説明】
【技術分野】
【０００１】
本発明は、羽根ボスの周面に翼体が設けられた羽根車の主軸取付構造に関する。
【背景技術】
【０００２】
従来、ポンプ装置の羽根車は、外周面が略円筒形状の羽根ボスと、前記羽根ボスの周囲に取り付けられた複数の翼体で構成され、図６に示すように、前記羽根ボス２の基端側を主軸１に挿入し、前記ボス部２の他端側から前記主軸１の先端部に形成されたネジ部と前記羽根ボス２とをナット８で締結し、その後、前記羽根ボス２の周壁の外側から翼体４の基端側に設けられた翼軸４Ｄを貫通させて翼体４が取り付けられ、最後に前記羽根ボス２の他端側にボスキャップＣが取り付けられるように構成されていた（特許文献１）。
【０００３】
上述のポンプ装置は、可動翼ポンプ装置であるが、固定翼ポンプ装置であっても同様の取付手法が採用され、前記羽根ボスに翼体を取り付けた後に前記羽根ボス２の基端側を主軸１に挿入し、前記ボス部２の他端側から前記主軸１と前記羽根ボス２とをボルト８で締結する場合もあった。
【０００４】
【特許文献１】特開平７−２３８８９９号公報
【発明の開示】
【発明が解決しようとする課題】
【０００５】
しかし、近年、ポンプ装置の高効率、小型化のため、基端側に対して先端側が窄まる滑らかな傾斜周面に形成された羽根ボスが提案されている。このような羽根ボスでは、予め羽根ボスの周面に翼体を取り付けた後に、その羽根車を主軸に取り付ける必要があるが、先端側が窄まる傾斜周面に形成された羽根ボスでは、その狭い内部空間を翼体の取付部材が占有するため、羽根ボスを主軸に取り付けるスペースを確保することが困難であった。
【０００６】
本発明の目的は、基端側に対して先端側が窄まる傾斜周面を備えたテーパ状の羽根ボスであっても羽根ボスを主軸に容易に取り付けることができる羽根車の主軸取付構造を提供する点にある。
【課題を解決するための手段】
【０００７】
上述の目的を達成するため、本発明による羽根車の主軸取付構造の第一の特徴構成は、特許請求の範囲の書類の請求項１に記載した通り、羽根ボスの周面に翼体が設けられた羽根車の主軸取付構造であって、基端側に対して先端側が窄まる傾斜周面を備えた羽根ボスの基端側開口に形成された取付座と、主軸の先端側に着脱自在に取り付けられる抜止め部材と、前記主軸に外嵌し、一端側に前記取付座に対向するとともに前記抜止め部材と係合する外向きフランジを備えたスリーブとを備え、前記主軸の先端側に前記抜止め部材を取り付けた状態で前記基端側開口から前記主軸を挿入し、前記取付座と前記外向きフランジを締着する点にある。
【０００８】
上述の構成によると、内部空間の狭い、基端側に対して先端側が窄まる傾斜周面を備えたテーパ状の羽根ボスであっても、フランジを介して主軸と羽根車とを羽根ボス外部から取り付けることができるので、容易に羽根車を組み付けることができるようになる。
【０００９】
同第二の特徴構成は、同請求項２に記載した通り、上述の第一特徴構成に加えて、羽根ボスの周面に翼体が設けられた羽根車の主軸取付構造であって、前記取付座が基端側に対して先端側が窄まる傾斜周面を備えた羽根ボスの基端側開口に形成された内向きフランジであり、主軸の先端側周部に形成された溝部に嵌入される抜止め部材と、前記主軸に外嵌し、一端側に前記内向きフランジに対向するとともに前記抜止め部材と係合する外向きフランジを備えたスリーブとを備え、前記溝部に前記抜止め部材を嵌入した状態で前記基端側開口から前記主軸を挿入し、前記内向きフランジと前記外向きフランジを締着する点にある。
【００１０】
同様に、フランジを介して主軸と羽根車とを羽根ボス外部から取り付けることができるので、内部空間の狭い、基端側に対して先端側が窄まる傾斜周面を備えたテーパ状の羽根ボスであっても、容易に組み付けることができるようになる。
【００１１】
同第三の特徴構成は、同請求項３に記載した通り、上述の第二特徴構成に加えて、前記抜止め部材が前記内向きフランジの内側縁部で保持される点にある。
【００１２】
前記抜止め部材が前記内向きフランジの内側縁部で保持されることで、前記抜止め部材が一体構成されてなくても前記溝部に嵌入された前記抜止め部材は外れることなく、前記主軸が前記スリーブから抜けることを防ぐことができる。
【００１３】
同第四の特徴構成は、同請求項４に記載した通り、上述の第一から第三の何れかの特徴構成に加えて、前記主軸に、前記スリーブの他端側縁部と係合する段差部を形成してある点にある。
【００１４】
前記主軸に前記スリーブの他端縁部と係合する段差部を形成することで、前記主軸が所定の位置より奥に挿入されることを防ぐことができる。
【００１５】
同第五の特徴構成は、同請求項５に記載した通り、上述した第一から第四の何れかの特徴構成に加え、前記主軸とスリーブがキー結合又はスプライン結合されている点にある。
【００１６】
前記主軸と前記スリーブがキー結合することにより、前記主軸が回転すると前記スリーブに締着された前記羽根車が滑ることなく回転させることができる。
【発明の効果】
【００１７】
以上説明した通り、本発明によれば、基端側に対して先端側が窄まる傾斜周面を備えたテーパ状の羽根ボスであっても羽根ボスを主軸に容易に取り付けることができる羽根車の主軸取付構造を提供することができるようになった。
【発明を実施するための最良の形態】
【００１８】
以下に本発明の第一の実施の形態を説明する。図１及び図２に示すように、軸流ポンプ装置に組み込まれる羽根車は、基端側２Ａに対して先端側２Ｂが窄まる傾斜周面２Ｃを備えた羽根ボス２と、その傾斜周面２Ｃに等間隔に取り付けられた三枚の翼体４を備えて構成され、各翼体４は一体成形された円形基部４Ａを前記傾斜周面に設けられた円形凹部に嵌め込み、上面から挿入されたボルト４Ｂを内側からナット４Ｃにより締め付け固定され、主軸１の先端部に着脱自在に取り付けられている。なお、この羽根車は軸流型である。
【００１９】
前記羽根ボス２の基端側２Ａの開口には、取付座としての内向きフランジ２Ｅが形成されている。一端側に前記内向きフランジ２Ｅに対向する外向きフランジ５Ａを備えたスリーブ５を前記主軸１に外嵌し、前記主軸１の先端側周部に形成された溝部１Ａに抜止め部材３を嵌入した状態で前記基端側開口から前記主軸１を挿入し、図２（ｂ）に示すように、前記内向きフランジ２Ｅと前記外向きフランジ５Ａをボルト６により締着することにより、前記羽根車と前記主軸１とが固定される。
【００２０】
前記抜止め部材３は、図３（ａ）に示すように、リング状部材を二分割したリング片３Ａ，３Ｂで構成され、前記溝部１Ａに周囲から挟み付けるように取り付けられ、ボルト６により締着された状態では、前記溝部１Ａから離脱することの無いように前記内向きフランジ２Ｅの内側縁部で保持される。
【００２１】
さらに、前記主軸１に、前記スリーブ５の他端側縁部と係合する段差部１Ｂが形成され、以って前記主軸１が前記羽根ボス２側に過挿入されたり、前記抜止め部材３が前記溝部１Ａから離脱することの無いように構成されている。
【００２２】
この状態で、前記抜止め部材３が前記溝部１Ａの先端側縁部と前記外向きフランジ５Ａとの間で係合して、前記主軸１が前記羽根車から抜けることなく保持される。
【００２３】
前記スリーブ５の外周部に軸受け７が配置されるとともに、前記主軸１と前記スリーブ５には、図３（ｂ）に示すように、互いに対向する位置にキー溝１Ｃ，５Ｂが形成され、前記主軸１に前記スリーブ５を外嵌する際にキー９を挿入することにより、前記主軸１と前記スリーブ５が一体回転し、従って、前記主軸１と前記羽根車が一体回転するように構成されている。
【００２４】
以下に本発明の第二の実施の形態を説明する。尚、以下の説明では、上述の第一の実施形態と同等の部材については同じ符号を付けて説明する。
【００２５】
図４及び図５に示すように、ポンプ装置に組み込まれる羽根車は、基端側２Ａに対して先端側２Ｂが窄まる傾斜周面２Ｃを備えた羽根ボス２と、その傾斜周面２Ｃに等間隔に取り付けられた三枚の翼体４を備えて構成され、各翼体４は一体成形された円形基部４Ａを前記傾斜周面に設けられた円形凹部に嵌め込み、上面から挿入されたボルト４Ｂを内側からナット４Ｃにより締め付け固定され、主軸１の先端部に着脱自在に取り付けられている。
【００２６】
前記羽根ボス２の基端側２Ａの開口には、周方向に等間隔に三箇所、前記羽根ボス２の周面を軸心に沿った方向に切り欠いて形成された取付座２Ｆが設けられている。
【００２７】
一端側に前記取付座２Ｆに対向する外向きフランジ５Ａを備えたスリーブ５を前記主軸１に外嵌し、前記主軸１の先端側周部に形成されたネジ部１Ｃに抜止め部材としてのナット８を廻り止めの座金８Ａを介して螺合することにより、前記座金８Ａ及びナット８が前記外向きフランジ５Ａと係合して前記スリーブ５の前記主軸１からの離脱を防止した状態で、前記基端側２Ａ開口から前記主軸１を挿入し、図５（ｂ）に示すように、前記取付座２Ｆと前記外向きフランジ５Ａをボルト６により締着することにより、前記羽根車と前記主軸１とが固定される。
【００２８】
さらに、前記主軸１に、前記スリーブ５の他端側縁部と係合する段差部１Ｂが形成され、以って前記主軸１が前記羽根ボス２側に過挿入されることの無いように構成されている。
【００２９】
前記スリーブ５の外周部に軸受け７が配置されるとともに、前記主軸１と前記スリーブ５には、図３（ｂ）に示した構成と同様に、互いに対向する位置にキー溝１Ｃ，５Ｂが形成され、前記主軸１に前記スリーブ５を外嵌する際にキー９を挿入することにより、前記主軸１と前記スリーブ５が一体回転し、従って、前記主軸１と前記羽根車が一体回転するように構成されている。
【００３０】
以下に別実施形態を説明する。上述の実施形態では、主軸１とスリーブ５にキー溝を備え、前記キー溝にキーが嵌合されるキー結合により一体回転可能な構成を説明したが、前記キー結合としては、主軸１の外周面及びスリーブ５の内周面に軸心方向に沿った凹凸の溝を形成し、互いの凹部と凸部を係合させるスプライン結合を用いてもよい。さらに、主軸１と、羽根車が固定されたスリーブ５とを一体に回転させるための機構であれば他の構造を採用してもよい。
【００３１】
第一の実施形態では、抜止め部材に二つ割りで構成される抜止めリング５を採用したが、前記抜止め部材は二つ割りに限るものではなく、前記主軸１の溝部１Ａに嵌め込み可能な構成であれば、二つ以上に分割されるものであってもよい。
【００３２】
第二の実施形態では、取付座２Ｆと前記外向きフランジ５Ａを締結するボルト６を羽根ボスの傾斜面の周方向に三箇所設けた切り欠き部において、各１本ずつで取り付けているが、ボルトの数や配置はこれに限定されるものではない。また、高トルクの場合には適宜リーマボルトを用いてもよい。
【００３３】
上述した実施形態では、羽根車の主軸取付構造として、軸流ポンプに適用したものを説明したが、斜流ポンプ等の他の種類のポンプ装置に対しても適用可能である。
【００３４】
上述した実施形態では、翼体４を羽根ボス２にボルト固定する三枚の固定翼を備えた羽根車の主軸への固定構造について説明したが、羽根ボスに対して翼体の姿勢が可変な可動翼を備えた羽根車に適用することも可能であり、また翼体の枚数も制限されるものではないことはいうまでもない。また羽根車は軸流型に限定されるものではなく斜流型であってもよい。
【００３５】
上述した実施形態で説明した各部の具体的構造、材質、寸法等は、特に限定されるものではなく、本発明による作用効果を奏する範囲において適宜設計されるものである。
【図面の簡単な説明】
【００３６】
【図１】本発明による羽根車の上面図、（ｂ）本発明による羽根車の上面図
【図２】（ａ）は図１のＡ−Ａ’線要部断面図、（ｂ）は図１のＢ−Ｂ’線要部断面
【図３】（ａ）は主軸の先端側周部の溝部に抜止め部が嵌入された状態を示す要部断面図、（ｂ）は図２（ａ）のＣ−Ｃ’線要部断面図
【図４】別実施形態を示し、本発明による羽根車の上面図
【図５】（ａ）は図４のＡ−Ａ’線要部断面図、（ｂ）は図４のＢ−Ｂ’線要部断面
【図６】従来の羽根車の軸取付構造の要部説明図
【符号の説明】
【００３７】
１：主軸
１Ａ：溝部
２：羽根ボス
２Ｅ：内向きフランジ
２Ｆ：取付座
３：抜止め部材
３Ａ，３Ｂ：リング片
４：翼体
５：スリーブ
５Ａ：外向きフランジ
６：ボルト
８：抜止め部材（ナット）
９：キー
【図１】
2007263021.tif 000003
【図２】
2007263021.tif 000004
【図３】
2007263021.tif 000005
【図４】
2007263021.tif 000006
【図５】
2007263021.tif 000007
【図６】
2007263021.tif 000008